(57)【要約】【課題】受け皿に貯留された遊技球を収容ケース内に均等に振り分ける。【解決手段】下皿３４には、第２操作つまみの操作に伴って初期位置と第１押し出し位置と第２押し出し位置との間で移動するスライド板７４と、前後に長い回転軸８２を有し、スライド板７４の左側端部に回動自在に取り付けられた振り分け板８０を備えている。スライド板７４が初期位置へ移動されると、振り分け板８０は、表面を上方へ向けた水平姿勢で下皿３４から落下する遊技球の落下経路外に配置される。スライド板７４が第１押し出し位置へ移動されると、振り分け板８０は、表面を傾斜面５６側の上方へ向けた左傾斜姿勢で下皿３４から落下する遊技球の落下経路に挿入される。スライド板７４が第２押し出し位置へ移動されると、振り分け板８０は、裏面を傾斜面７０側の上方へ向けた右傾斜姿勢で下皿３４から落下する遊技球の落下経路に挿入される。【選択図】図５
2010136878.tif 000002
【特許請求の範囲】
【請求項１】
パチンコ機本体から払い出された遊技球を貯留する受け皿と、受け皿の底部に形成された球抜き孔と、球抜き孔を開閉する開閉部材とを備え、開閉部材を開き位置へ移動させて受け皿に貯留された遊技球を球抜き孔から排出するパチンコ機において、
球抜き孔から落下する遊技球の落下経路を挟んで、パチンコ機本体の左右方向に並べられた第１、第２支持部と、
矩形板状に形成されるとともに、一側部にパチンコ機本体の前後方向に向かって延びる回転軸が設けられ、この回転軸を中心に回動自在に設けられた振り分け板と、
第１、第２支持部の上方で、第１支持部から第２支持部へ向かう押し出し方向と、第２支持部から第１支持部へ向かう引き戻し方向とにスライド自在に設けられるとともに、押し出し方向の先端から順に、前記回転軸が取り付けられる取り付け部と、落下経路を開放する開口とが形成されたスライド板とを備え、
前記スライド板は、回転軸を第１支持部から離間させるように引き戻された引き戻し位置と、引き戻し位置から押し出され、回転軸を第１支持部の近傍かつ第１支持部よりも引き戻し方向側に位置させる第１押し出し位置と、第１押し出し位置からさらに押し出され、回転軸を第２支持部の近傍かつ第２支持部よりも押し出し方向側に位置させるとともに、開口を球抜き孔のほぼ真下に位置させる第２押し出し位置との間で移動し、
前記振り分け板は、スライド板が引き戻し位置に移動した際に、第１支持部により裏面側から支持されて、表面を上方へ向けた水平姿勢で落下経路外に退避され、スライド板が第１押し出し位置に移動した際に、一側部近傍が第１支持部により裏面側から支持されて、表面を第２支持部側の上方へ向けた第１傾斜姿勢で落下経路に挿入され、スライド板が第２押し出し位置に移動した際に、一側部近傍が第２支持部により表面側から支持されて、裏面を第１支持部側の上方へ向けた第２傾斜姿勢で落下経路に挿入されることを特徴とするパチンコ機。
【請求項２】
開閉部材は、パチンコ機本体の左右方向にスライド自在に設けられており、
スライド板は、開閉部材にスライド自在に保持されて、開閉部材が開き位置へ移動された際に、スライド移動されることを特徴とする請求項１記載のパチンコ機。
【発明の詳細な説明】
【技術分野】
【０００１】
本発明は、パチンコ店などの遊技場で用いられるパチンコ機に関するものである。
【背景技術】
【０００２】
パチンコ機の前面には、パチンコ機本体から払い出された遊技球を貯留するための受け皿が設けられている。受け皿の底部には、スライド式の蓋によって開閉される球抜き孔が設けられており、受け皿が満タンとなった場合は、受け皿の下方に「ドル箱（登録商標）」と呼ばれる収容ケースをセットして、球抜き孔を開放することで、受け皿に貯留された遊技球を収容ケースに移すことができる。
【０００３】
しかし、収容ケースに移される遊技球は収容ケースのうち球抜き孔の下方部分に高く積もるため、遊技球を収容ケースに移す際には遊技者が手で遊技球を平らに均す必要があり面倒であった。このため、下記特許文献１に記載されているように、モータなどの駆動手段により球抜き孔を移動させるようにしたものもある。また、下記特許文献２に記載されているように、球抜き孔を塞ぐ水平な位置と球抜き孔を開放する垂直な位置との間で、蓋を回動自在に設け、蓋の角度を遊技者が調節できるようにしたものもある。これらによれば、収容ケース内に均等に遊技球を振り分けることができ、遊技者の負担を軽減できる。
【特許文献１】特開平１０−１７９８７４
【特許文献２】特開２００４−０４９７２９
【発明の開示】
【発明が解決しようとする課題】
【０００４】
しかしながら、上記特許文献１記載の装置では、球抜き孔を移動させるための駆動手段を設ける必要がありコストがかかってしまうといった問題があった。また、上記特許文献２記載の装置では、受け皿に貯留された遊技球の重さで球抜き孔が開放されてしまい、遊技者が意図しないタイミングで受け皿から遊技球が落下してしまうといった問題があった。
【０００５】
本発明は、上記背景を鑑みてなされたものであり、コストをかけずに、受け皿に貯留された遊技球を収容ケース内に均等に振り分けることができるパチンコ機を提供することを目的としている。また、本発明は、受け皿に貯留された遊技球を収容ケース内に均等に振り分けることができ、かつ、受け皿に貯留された遊技球が遊技者の意図しないタイミングで落下することのないパチンコ機を提供することを目的としている。
【課題を解決するための手段】
【０００６】
上記目的を達成するために、本発明の遊技機は、パチンコ機本体から払い出された遊技球を貯留する受け皿と、受け皿の底部に形成された球抜き孔と、球抜き孔を開閉する開閉部材とを備え、開閉部材を開き位置へ移動させて受け皿に貯留された遊技球を球抜き孔から排出するパチンコ機において、球抜き孔から落下する遊技球の落下経路を挟んで、パチンコ機本体の左右方向に並べられた第１、第２支持部と、矩形板状に形成されるとともに、一側部にパチンコ機本体の前後方向に向かって延びる回転軸が設けられ、この回転軸を中心に回動自在に設けられた振り分け板と、第１、第２支持部の上方で、第１支持部から第２支持部へ向かう押し出し方向と、第２支持部から第１支持部へ向かう引き戻し方向とにスライド自在に設けられるとともに、押し出し方向の先端から順に、前記回転軸が取り付けられる取り付け部と、落下経路を開放する開口とが形成されたスライド板とを備え、前記スライド板は、回転軸を第１支持部から離間させるように引き戻された引き戻し位置と、引き戻し位置から押し出され、回転軸を第１支持部の近傍かつ第１支持部よりも引き戻し方向側に位置させる第１押し出し位置と、第１押し出し位置からさらに押し出され、回転軸を第２支持部の近傍かつ第２支持部よりも押し出し方向側に位置させるとともに、開口を球抜き孔のほぼ真下に位置させる第２押し出し位置との間で移動し、前記振り分け板は、スライド板が引き戻し位置に移動した際に、第１支持部により裏面側から支持されて、表面を上方へ向けた水平姿勢で落下経路外に退避され、スライド板が第１押し出し位置に移動した際に、一側部近傍が第１支持部により裏面側から支持されて、表面を第２支持部側の上方へ向けた第１傾斜姿勢で落下経路に挿入され、スライド板が第２押し出し位置に移動した際に、一側部近傍が第２支持部により表面側から支持されて、裏面を第１支持部側の上方へ向けた第２傾斜姿勢で落下経路に挿入されることを特徴としている。
【０００７】
開閉部材は、パチンコ機本体の左右方向にスライド自在に設けられており、スライド板は、開閉部材にスライド自在に保持されて、開閉部材が開き位置へ移動された際に、スライド移動されることが好ましい。
【発明の効果】
【０００８】
本発明によれば、遊技者がスライド板の位置を変更することによって、受け皿に貯留された遊技球を収容ケース内に均等に振り分けることができるので、モータにより球抜き孔を移動させる場合と比較してコストを抑えることができる。また、パチンコ機本体の左右方向にスライド自在の開閉部材によって、球抜き孔を塞ぐようにすれば、受け皿に貯留された遊技球が遊技者の意図しないタイミングで落下することがない。さらに、水平方向にスライド自在の開閉部材にスライド板を取り付けることによって、受け皿を小型化できる。
【発明を実施するための最良の形態】
【０００９】
図１に示すように、パチンコ機１０は、パチンコ機本体１１の前面に、ガラス窓１２、発射ハンドル１４が設けられている。ガラス窓１２の背後には遊技盤１６が配置されている。遊技盤１６は、略円形の遊技領域１８を備え、ガラス窓１２を介して遊技領域１８を視認できるようになっている。遊技領域１８には、各種演出画像の表示や図柄の変動表示を行う液晶ディスプレイ２０、始動入賞口２２や大入賞口２４などの入賞口、大入賞口２４を開閉するアタッカ２６などが設けられている。
【００１０】
パチンコ機１０では、発射ハンドル１４が回動されると、これに応じて遊技領域１８に遊技球が打ち出される。打ち出された遊技球が始動入賞口２２に入賞すると、所定個数の遊技球が賞球として払い出される。また、遊技球が始動入賞口２２に入賞すると、当たり抽選が実行されて、当たりまたはハズレが決定されるとともに、液晶ディスプレイ２０において図柄の変動表示が開始される。そして、変動表示後に停止表示する図柄の組合せによって当たり抽選の結果が報知される。
【００１１】
当たり抽選の結果、当たりとなるとパチンコ機１０は大当たりモードへと移行する。大当たりモードではアタッカ２６が開閉されて大入賞口２４へと遊技球を入賞させることが可能となる。大入賞口２４は、遊技球が入賞した際に払い出される賞球の個数が始動入賞口２２よりも多く設定されている。これにより、大当たりモードでは大量の賞球を得ることができる。
【００１２】
また、パチンコ機１０の前面には、払い出された賞球を受けるための受け皿３０が設けられている。受け皿３０は、上皿３２と、下皿（受け皿）３４とから構成される。上皿３２と下皿３４は、上下に並べて配置されている。上皿３２には、払い出し口３２ａと、排出口３２ｂとが設けられており、賞球は払い出し口３２ａから上皿３２に払い出される。また、上皿３２が満タンとなると、上皿３２に貯留された遊技球が排出口３２ｂから排出される。排出口３２ｂは、図示しない連絡通路により下皿３４と連結されている。そして、排出口３２ｂから排出された遊技球は、連絡通路を介して下皿３４に投入される。
【００１３】
図２に示すように、下皿３４には、貯留された遊技球を排出するための円形の球抜き孔３６と、球抜き孔３６を開閉するための第１操作つまみ３８とが設けられている。第１操作つまみ３８は、左右（パチンコ機本体１１の左右方向）に長いスリット状の開口４０から露呈され、この開口４０の内側で左右にスライド自在に設けられている。そして、パチンコ機１０では、下皿３４が満タンとなった際や遊技を終了する際に、球抜き孔３６の下方に収容ケース４１（図１参照）をセットした後、第１操作つまみ３８をスライド操作して球抜き孔３６を開放することで、下皿３４に貯留された遊技球を収容ケース４１に移すことができる。
【００１４】
しかし、下皿３４に貯留された遊技球が球抜き孔３６の真下にのみ排出されると、下皿３４から排出された遊技球が収容ケース４１のうち球抜き孔３６の真下にのみ積もってしまい、遊技者が手で遊技球を平らに均す必要があり面倒である。このため、パチンコ機１０では、下皿３４に、遊技球の排出方向を変更するための第２操作つまみ４２を設けている。第２操作つまみ４２は、左右に長いスリット状の開口４４から露呈され、この開口４４の内側で左右にスライド自在に設けられている。そして、パチンコ機１０では、この第２操作つまみ４２を操作することで、下皿３４に貯留された遊技球を球抜き孔３６の真下に排出するか、球抜き孔３６の斜め下方に排出するかを選択できる。
【００１５】
以下、第１操作つまみ３８をスライド操作することで、遊技球を排出するか否かを選択できるとともに、第２操作つまみ４２をスライド操作することで、遊技球の排出方向を選択できる下皿３４の具体的な構成について説明する。
【００１６】
図３に示すように、下皿３４は、球抜き孔３６の下方にベース板５０が配置されている。ベース板５０には、貫通孔５２と、窪み５４が形成されている。貫通孔５２は、一辺の長さが球抜き孔３６の直径とほぼ等しい矩形状に形成されるとともに、球抜き孔３６の真下に形成されており、球抜き孔３６から落下する遊技球の落下経路を開放する機能を有している。また、貫通孔５２の右側壁には、左斜め上方を向いた傾斜面５６が形成されている。この傾斜面５６は、後述する振り分け板（図４の符号８０参照）を表面側から支持する支持部（第２支持部）として機能する。
【００１７】
窪み５４には、スライドボックス（開閉部材）６０が配置されている。スライドボックス６０は、上面が球抜き孔３６よりも一回り大きい、薄型の略直方体形状に形成されたボックス本体６２と、前述した第１操作つまみ３８とが一体に形成されたものであり、窪み５４の内側で左右にスライド自在に設けられている。そして、スライドボックス６０は、第１操作つまみ３８のスライド操作に伴って、球抜き孔３６を塞ぐ閉じ位置（図５（Ａ）参照）と、球抜き孔３６を開放する開き位置（図５（Ｂ）〜同図（Ｄ）参照）との間を移動する。
【００１８】
図４に示すように、ボックス本体６２には、開口６４、６６と、収納室６８とが形成されている。開口６４は、ボックス本体６２の前側面に設けられ、左右に長いスリット状に形成されている。開口６６は、ボックス本体６２の左側面に設けられ、前後に長いスリット状に形成されている。また、開口６６の下端部には、右斜め上方を向いた傾斜面７０が形成されている。この傾斜面７０は、スライドボックス６０が開き位置に移動された際に、球抜き孔３６から落下する遊技球の落下経路を挟んでベース板５０の傾斜面５６と対向するように形成されている。そして、この傾斜面７０は、後述する振り分け板８０を裏面側から支持する支持部（第１支持部）として機能する。
【００１９】
収納室６８は、開口６４、６６と連通するように形成されており、ボックス本体６２の右側壁を構成する着脱式の蓋体７２によって開閉される。収納室６８の内部には、スライド板７４が収納され、左方向（押し出し方向）と右方向（引き戻し方向）とにスライド自在に保持されている。スライド板７４は、左側端部（押し出し方向の先端側）から順に、取り付け部７６と、開口７８とが設けられている。
【００２０】
取り付け部７６には、振り分け板８０が取り付けられている。振り分け板８０は、矩形の板状に形成され、一側部にパチンコ機本体の前後方向に向かって延びる回転軸８２が設けられている。そして、振り分け板８０は、回転軸８２の前後両端部が取り付け部７６に軸着され、回転軸８２を中心に回動自在に保持される。開口７８は、一辺の長さが球抜き孔３６の直径とほぼ等しい矩形状に形成されており、球抜き孔３６の真下に配置された際に、球抜き孔３６から落下する遊技球の落下経路を開放する機能を有している。
【００２１】
また、スライド板７４は、前述した第２操作つまみ４２が一体に形成されており、収納室６８に収納された際に開口６４から第２操作つまみ４２が露呈される。そして、スライド板７４は、第２操作つまみ４２のスライド操作に伴って、回転軸８２を傾斜面７０から右方向へと離間させた初期位置（図５（Ｂ）参照）と、初期位置から左方向へ押し出され、回転軸８２を傾斜面７０の近傍かつ傾斜面７０より右側に位置させる第１押し出し位置（図５（Ｃ）参照）と、第１押し出し位置からさらに左方向へ押し出され、回転軸８２を傾斜面５６の近傍かつ傾斜面５６より左側に位置させるとともに、開口７８を球抜き孔３６の真下に位置させる第２押し出し位置（図５（Ｄ）参照）との間を移動する。
【００２２】
以下、上記構成による本発明の作用について図５をもとに説明する。パチンコ機１０では、第１操作つまみ３８をスライド操作することで、図５（Ａ）に示す閉じ位置と、図５（Ｂ）に示す開き位置との間でスライドボックス６０を移動できる。スライドボックス６０を閉じ位置へ移動させると、球抜き孔３６が塞がれる。これにより、下皿３４に遊技球を貯留できる。スライドボックス６０を開き位置へ移動させると、球抜き孔３６が開放される。これにより、下皿３４に貯留された遊技球を球抜き孔３６から排出できる。
【００２３】
また、パチンコ機１０では、スライドボックス６０を開き位置に移動させた状態で第２操作つまみ４２をスライド操作してスライド板７４を移動できる。そして、このスライド板７４の移動に伴って、振り分け板８０の姿勢及び配置位置が変化し、下皿３４に貯留された遊技球の排出方向を調節できる。
【００２４】
図５（Ｂ）に示すように、スライド板７４が初期位置へ移動されると、スライド板７４及び振り分け板８０がスライドボックス６０の内部に収納される。そして、振り分け板８０は、先端部（回転軸８２とは反対側の端部（他側部））が、傾斜面７０の上端部により裏面側から支持されて、表面を上方へ向けた水平姿勢で、球抜き孔３６から落下する遊技球の落下経路外に配置される。これにより、下皿３４に貯留された遊技球が、球抜き孔３６の真下へ排出される。
【００２５】
また、図５（Ｃ）に示すように、スライド板７４が初期位置から第１押し出し位置へ向けて押し出されると、開口６６（図５参照）からスライドボックス６０の左側へ向けて振り分け板８０が押し出される。この押し出しに伴って振り分け板８０は、先端部を下方へ向けるように自重により反時計方向に回動する。そして、スライド板７４が第１押し出し位置へ移動されると、振り分け板８０は、基端部（回転軸８２側の端部（一側部））の近傍が傾斜面７０により裏面側から支持されて、表面を傾斜面５６側の上方へ向けた左傾斜姿勢（第１傾斜姿勢）で、球抜き孔３６から落下する遊技球の落下経路に挿入される。これにより、下皿３４に貯留された遊技球が、球抜き孔３６の左下へ排出される。
【００２６】
さらに、図５（Ｄ）に示すように、スライド板７４が第１押し出し位置から第２押し出しへ向けて押し出されると、振り分け板８０は、鉛直方向を向くように自重により反時計方向に回動した後、基端部の近傍が傾斜面５６の下端部により表面側から押圧されて、先端部が上方へ向かうように反時計方向に回動する。そして、スライド板７４が第２押し出し位置へ移動されると、振り分け板８０は、基端部の近傍が傾斜面５６により表面側から支持されて、裏面を傾斜面７０側の上方へ向けた右傾斜姿勢（第２傾斜姿勢）で、球抜き孔３６から落下する遊技球の落下経路に挿入される。これにより、下皿３４に貯留された遊技球が、球抜き孔３６の右下へ排出される。
【００２７】
なお、下皿３４には、傾斜面５６の上方かつ傾斜面５６よりも左側に、スライド板７４が第２押し出し位置よりもさらに押し出されることを防止するためのストッパとして機能する壁部材８４が設けられている。スライド板７４は、第２押し出し位置に移動されると、取り付け部７６がこの壁部材８４に当接して、左方向への移動が規制される。
【００２８】
以上のように、パチンコ機１０では、第２操作つまみをスライドさせることで、下皿から排出される遊技球の排出方向を変化させることができる。このため、下皿に貯留された遊技球を収容ケース内に均等に振り分けることができる。また、パチンコ機１０では、第２操作つまみを操作する操作力によって振り分け板の位置及び姿勢が変化して遊技球の排出方向が変化する。このため、モータにより振り分け板を移動させる場合と比較してコストを抑えることができる。
【００２９】
さらに、パチンコ機１０では、水平方向にスライドするスライドボックスによって、球抜き孔を塞ぐようにしたため、下皿に貯留された遊技球の重さによって球抜き孔が開放され、遊技者の意図しないタイミングで下皿から遊技球が落下してしまうといったこともない。また、パチンコ機１０では、このスライドボックスに対してスライド自在となるようにスライド板や振り分け板を設けたので、球抜き孔を開閉する部材（スライドボックス）と、遊技球の排出方向を変化させる部材（スライド板や振り分け板）と別個に設ける場合と比較して下皿を小型化できる。
【００３０】
また、パチンコ機１０では、第１支持部を傾斜面としたので、振り分け板を左傾斜姿勢に維持する操作が簡単である。すなわち、第１支持部を鉛直面とすると、振り分け板が水平位置から移動を開始した後、僅かにスライド板を移動しただけで振り分け板が左傾斜姿勢を通り越して鉛直方向を向いてしまうが、第１支持部を傾斜面とすることで、このような問題を防止できる。さらに、パチンコ機１０では、第２支持部を傾斜面とすることで、振り分け板を右傾斜姿勢に維持する操作が簡単となる。また、パチンコ機１０では、スライド板を第２押し出し位置よりも左へ押し出せないように壁部材を設けたので、振り分け板を右傾斜姿勢に維持する操作がより簡単となる。
【００３１】
なお、本発明は、第２操作つまみをスライド操作して球抜き孔から落下する遊技球の落下方向を調節できればよいので、細部の構成は上記実施形態に限定されず、適宜変更できる。例えば、上記実施形態では、スライド板とスライドボックス（開閉部材）とが一体化され、スライド板がスライドボックスに対してスライド自在である例で説明をしたが、スライド板とスライドボックスとを別体化して、それぞれが独立してスライドするように構成してもよい。
【００３２】
また、上記実施形態では、第１支持部（傾斜面７０（図４参照））が平面である例で説明をしたが、第１支持部を曲面としてもよい。この場合、例えば、左右方向の断面が、左方向に傾斜し、かつ、中央凸形状の穏やかな円弧状となるように第１支持部を構成するといったことが考えられる。こうすれば、第２操作つまみ（スライド板）のスライド量に応じて、振り分け板の角度が穏やかに変化するようになるので、より細かく遊技球の落下方向を調節できる。同様に、第２支持部（傾斜面５６（図４参照））を曲面としてもよい。
【００３３】
さらに、上記実施形態では、遊技者の操作により開閉部材が開き位置から閉じ位置へ戻る例で説明をしたが、開閉部材を閉じ位置へ付勢するバネなどの付勢手段を設け、遊技者の操作によらず開閉部材が自動的に閉じ位置に戻るようにしてもよい。同様に、スライド板を初期位置へ付勢する付勢手段を設け、遊技者の操作によらずスライド板が自動的に初期位置に戻るようにしてもよい。
【００３４】
さらに、上記実施形態では、受け皿が上皿と下皿とからなるパチンコ機に本発明を適用する例で説明をしたが、上皿と下皿が一体に形成されたパチンコ機に本発明を適用してもよい。
【図面の簡単な説明】
【００３５】
【図１】パチンコ機の外観を示す斜視図である。
【図２】下皿の外観を示す斜視図である。
【図３】下皿の分解図である。
【図４】下皿の分解図である。
【図５】下皿の断面図である。
【符号の説明】
【００３６】
１０  パチンコ機
１１  パチンコ機本体
３４  下皿（受け皿）
３６  球抜き孔
３８  第１操作つまみ
４２  第２操作つまみ
５６  傾斜面（第２支持部）
６０  スライドボックス（開閉部材）
７０  傾斜面（第１支持部）
７４  スライド板
７６  取り付け部
７８  開口
８０  振り分け板
８０  回転軸
【図１】
2010136878.tif 000003
【図２】
2010136878.tif 000004
【図３】
2010136878.tif 000005
【図４】
2010136878.tif 000006
【図５】
2010136878.tif 000007